(57)【特許請求の範囲】
【請求項１】
前面に開口した筐体内に収納したノズル付きのホースを引き出して放水するトンネル内消火栓装置に於いて、
前記開口に、シート状部材を展開することにより前記開口を覆って閉鎖し、前記シート状部材を開口の一端に移動させることにより前記開口を開放するシート開閉構造を設け、
前記シート開閉構造は、前記開口に設けた開口枠の内側に位置させた状態で前記シート状部材を展開して保持することにより前記開口を覆って閉鎖し、前記シート状部材の保持を解除することにより前記開口を開放する消火栓扉を備え、
前記筐体は、下部横方向に仕切板を配置して下側に前記シート状部材を収納する収納部を形成したことを特徴とするトンネル内消火栓装置。
【請求項２】
請求項１記載のトンネル内消火栓装置に於いて、
前記筐体の開口の上側となる上部開口に、上側を軸として上向きに開放する保守扉を設けた場合、前記筐体の開口の下側となる下部開口に、前記シート開閉構造を設けたことを特徴とするトンネル内消火栓装置。
【請求項３】
前面に開口した筐体内に収納したノズル付きのホースを引き出して放水するトンネル内消火栓装置に於いて、
前記開口に、シート状部材を展開することにより前記開口を覆って閉鎖し、前記シート状部材を開口の一端に移動させることにより前記開口を開放するシート開閉構造と、
消火器を収納する消火器収納部に対応した前記筐体の開口に、シート状部材を展開することにより前記開口を覆って閉鎖し、前記シート状部材を開口の一端に移動させることにより前記開口を開放するシート開閉構造と、
を設け、
前記シート開閉構造は、前記開口に設けた開口枠の内側に位置させた状態で前記シート状部材を展開して保持することにより前記開口を覆って閉鎖し、前記シート状部材の保持を解除することにより前記開口を開放する消火栓扉を備え、
前記筐体は、下部横方向に仕切板を配置して下側に前記シート状部材を収納する収納部を形成したことを特徴とするトンネル内消火栓装置。
【請求項４】
請求項１又は３記載のトンネル内消火栓装置に於いて、
前記シート開閉構造は、
前記シート状部材を開放させる操作を行う操作部と、
外部からの開放制御信号により作動する開放駆動部と、
前記操作部の開放操作又は前記開放駆動部の作動により、前記シート状部材の閉鎖保持を解除して開放させる遠隔開放機構と、
を備えたことを特徴とするトンネル内消火栓装置。
【請求項５】
請求項１又は３記載のトンネル内消火栓装置に於いて、
前記筐体に対し前記消火栓扉を分割し、前記筐体の開口に前記消火栓扉を取外し自在に設けたことを特徴とするトンネル内消火栓装置。
【請求項６】
請求項１又は３記載のトンネル内消火栓装置に於いて、
前記消火栓扉は、
前記筐体の開口に取付け固定する扉枠と、
前記シート状部材の裏面の上下両端及びその間に所定間隔で配置した複数本のガイドバー部材と、
前記シート状部材の裏面に配置した前記ガイドバー部材の間に配置した複数本のウェイトバー部材と、
前記扉枠の左右両側の開口枠の内側に配置され、前記シート状部材の左右両側を前記開口枠の内側に位置させた状態で、前記ガイドバー部材の左右両端をガイド溝に摺接して上下方向に案内移動させる第１ガイドレールと、
前記第１ガイドレールの内側に配置され、前記ウェイトバーの両端を摺接して奥行方向への動きを規制すると共に上下方向に案内移動させる第２ガイドレールと、
前記シート状部材の上端のガイドバー部材を保持することで前記シート状部材を展開した閉鎖状態とし、所定の操作により前記上端のガイドバー部材の保持を解除して前記シート状部材を折り畳んで開放状態とする開閉操作部と、
を備えたことを特徴とするトンネル内消火栓装置。
【請求項７】
請求項６記載のトンネル内消火栓装置に於いて、前記シート状部材の裏面に配置した前記ウェイトバー部材の上側に隣接して配置した前記ガイドバーとの間隔に対し、前記ウェイトバー部材の下側に隣接して配置した前記ガイドバーとの間隔を短くしたことを特徴とするトンネル内消火栓装置。
【請求項８】
請求項６記載のトンネル内消火栓装置に於いて、
前記シート状部材の裏面に配置した複数のガイドバー部材は矩形断面をもつ板状のバー部材であり、
前記複数のガイドバー部材の内の上下端に配置したガイドバー部材は両端に設けたローラを前記第１ガイドレールのガイド溝に収納して回転自在に支持し、
前記上下端の間に配置したガイドバー部材は両端を前記第１ガイドレールのガイド溝に回転しないように収納したことを特徴とするトンネル内消火栓装置。
【請求項９】
請求項６記載のトンネル内消火栓装置に於いて、
前記第２ガイドレールは、前記シート状部材を展開して扉開口を閉鎖した状態で、下から１本目のウェイトバー部材と下から２本目のガイドバー部材との間となる所定位置をガイドレール終端とすると共に、前記ガイドレール終端から内側に湾曲して延在する湾曲ガイドレールを一体に形成し、
前記シート状部材を展開した状態で前記ガイドレール終端を外れた下側に位置するウェイトバー部材の両端の奥行方向への動きを規制する張出片を前記扉枠の内側両端に設けたことを特徴とするトンネル内消火栓装置。
【請求項１０】
請求項６記載のトンネル内消火栓装置に於いて、前記開閉操作部は、前記シート状部材の上端のガイドバー部材に上向きにバックル金具を設けると共に前記扉枠の上部の開口枠にバックル装置を設け、前記バックル金具を前記バックル装置に挿入して保持することで前記シート状部材を展開した閉鎖状態に保持し、前記バックル装置の所定の操作により前記バックル金具の保持を解除して前記シート状部材を折り畳んで開放状態とすることを特徴とするトンネル内消火栓装置。
【請求項１１】
請求項１又は３記載のトンネル内消火栓装置に於いて、前記シート状部材を不燃性、難燃性又は耐火性としたことを特徴とするトンネル内消火栓装置。
【請求項１２】
前面に開口した筐体内に消火器を収納したトンネル内消火器箱に於いて、
前記開口に、シート状部材を展開することにより前記開口を覆って閉鎖し、前記シート状部材を開口の一端に移動させることにより前記開口を開放するシート開閉構造を設け、
前記シート開閉構造は、前記開口に設けた開口枠の内側に位置させた状態で前記シート状部材を展開して保持することにより前記開口を覆って閉鎖し、前記シート状部材の保持を解除することにより前記開口を開放する消火器扉を備え、
前記筐体は、下部横方向に仕切板を配置して下側に前記シート状部材を収納する収納部を形成したことを特徴とするトンネル内消火器箱。
【請求項１３】
請求項１２記載のトンネル内消火器箱に於いて、
前記シート開閉構造は、
前記シート状部材を開放させる操作を行う操作部と、
外部からの開放制御信号により作動する開放駆動部と、
前記操作部の開放操作又は前記開放駆動部の作動により、前記シート状部材の閉鎖保持を解除して開放させる遠隔開放機構と、
を備えたことを特徴とするトンネル内消火器箱。
【請求項１４】
請求項１２記載のトンネル内消火器箱に於いて、
前記筐体に対し前記消火器扉を分割し、前記筐体の開口に前記消火器扉を取外し自在に設けたことを特徴とするトンネル内消火器箱。
【請求項１５】
請求項１２記載のトンネル内消火器箱に於いて、
前記消火器扉は、
前記筐体の開口に取付け固定する扉枠と、  前記シート状部材の裏面の上下両端及びその間に所定間隔で配置した複数本のガイドバー部材と、
前記シート状部材の裏面に配置した前記ガイドバー部材の間に配置した複数本のウェイトバー部材と、
前記扉枠の左右両側の開口枠の内側に配置され、前記シート状部材の左右両側を前記開口枠の内側に位置させた状態で、前記ガイドバー部材の左右両端をガイド溝に摺接して上下方向に案内移動させる第１ガイドレールと、
前記第１ガイドレールの内側に配置され、前記ウェイトバーの両端を摺接して奥行方向への動きを規制すると共に上下方向に案内移動させる第２ガイドレールと、
前記シート状部材の上端のガイドバー部材を保持することで前記シート状部材を展開した閉鎖状態に保持し、所定の操作により前記上端のガイドバー部材の保持を解除して前記シート状部材を折り畳んで開放状態とする開閉操作部と、
を備えたことを特徴とするトンネル内消火器箱。
【請求項１６】
請求項１５記載のトンネル内消火器箱に於いて、前記シート状部材の裏面に配置した前記ウェイトバー部材の上側に隣接して配置した前記ガイドバーとの間隔に対し、前記ウェイトバー部材の下側に隣接して配置した前記ガイドバーとの間隔を短くしたことを特徴とするトンネル内消火器箱。
【請求項１７】
請求項１５記載のトンネル内消火器箱に於いて、
前記シート状部材の裏面に配置した複数のガイドバー部材は矩形断面をもつ板状のバー部材であり、
前記複数のガイドバー部材の内の上下端に配置したガイドバー部材は両端に設けたローラを前記第１ガイドレールのガイド溝に収納して回転自在に支持し、
前記上下端の間に配置したガイドバー部材は両端を前記第１ガイドレールのガイド溝に回転しないように収納したことを特徴とするトンネル内消火器箱。
【請求項１８】
請求項１５記載のトンネル内消火器箱に於いて、
前記第２ガイドレールは、前記シート状部材を展開して扉開口を閉鎖した状態で、下から１本目のウェイトバー部材と下から２本目のガイドバー部材との間となる所定位置をガイドレール終端とすると共に、前記ガイドレール終端から内側に湾曲して延在する湾曲ガイドレールを一体に形成し、
前記シート状部材を展開した状態で前記ガイドレール終端を外れた下側に位置するウェイトバー部材の両端の奥行方向への動きを規制する張出片を前記扉枠の内側両端に設けたことを特徴とするトンネル内消火器箱。
【請求項１９】
請求項１５記載のトンネル内消火器箱に於いて、前記開閉操作部は、前記シート状部材の上端のガイドバー部材に上向きにバックル金具を設けると共に前記扉枠の上部の開口枠にバックル装置を設け、前記バックル金具を前記バックル装置に挿入して保持することで前記シート状部材を展開した閉鎖状態に保持し、前記バックル装置の所定の操作により前記バックル金具の保持を解除して前記シート状部材を折り畳んで開放状態とすることを特徴とするトンネル内消火器箱。
【請求項２０】
請求項１２記載のトンネル内消火器箱に於いて、前記シート状部材を不燃性、難燃性又は耐火性としたことを特徴とするトンネル内消火器箱。
【発明の詳細な説明】
【技術分野】
【０００１】
本発明は、筐体の前面開口を開いて筐体に収納したノズル付きのホースを引き出して放水するトンネル内消火栓装置及びトンネル内消火器箱に関する。
【背景技術】
【０００２】
従来、高速道路や自動車専用道路などのトンネルに設置されるトンネル内消火栓装置は、開放自在な消火栓扉を備えた筐体の消火栓収納部に、先端にノズルを装着したホースとバルブ類を収納し、また、開閉自在な消火器扉を備えた消火器収納部に例えば２本の消火器を収納している。
【０００３】
ホース先端に接続したノズルは、筐体前面に着脱自在に配置するか、消火栓扉裏面に着脱自在に配置している。また、消火栓弁を開閉する消火栓弁開閉レバーについては、筐体内に収納した消火栓弁に消火栓弁開閉レバーを設けて直接操作するか、あるいは消火栓扉裏面に配置した操作箱に消火栓弁開閉レバーを設けて遠隔操作するようにしている。
【０００４】
このような消火栓装置は、トンネル内の側壁に沿って例えば５０メートル間隔で設置しており、火災を伴う車両事故の発生時に、消火栓扉を開いてノズル付きのホースを引き出し、消火栓弁開閉レバーを操作することで消火ポンプ設備を起動して放水を行うことができる。
【０００５】
また、長さの短いトンネルや交通量の少ないトンネルにあっては、トンネル内消火栓装置に代えて消火器を収納したトンネル内消火器箱を例えば５０メートル間隔で設置しており、火災を伴う車両事故の発生時に、消火器扉を横開きに開いて消火器を取り出すことで消火活動を行うことができる。
【先行技術文献】
【特許文献】
【０００６】
【特許文献１】特開２００８−０５５０２４号公報
【特許文献２】特開２００９−２８５１２６号公報
【発明の概要】
【発明が解決しようとする課題】
【０００７】
しかしながら、このような従来のトンネル内消火栓装置にあっては、消火栓扉を開いた際に、消火栓扉が前方に倒れるように開いてくるため、消火栓扉が通路を塞ぎ、避難の妨げになる。また、消火栓扉を開いてメンテナンスを行うときに消火栓扉に乗って作業することがあり、そのため消火栓扉に補強構造を設けて強度を確保しており、消火栓扉が重くなる。また、消火栓扉が重いために、消火栓扉を閉鎖する時にかなりの労力を必要とする。更に、消火栓扉の内側には操作方法を示した銘板や消火栓弁開閉レバーが取り付けられている場合があり、ホース引出しの妨げになる。
【０００８】
また、従来のトンネル内消火器箱にあっても、消火器扉を横に開くようにしているため、消火器扉が通路を塞ぎ、避難の妨げになる問題がある。
【０００９】
本発明は、開閉が容易で開放時に避難やホース取出しの妨げとならないコスト的にも安価な開閉構造を備えたトンネル内消火栓装置及びトンネル内消火器箱を提供することを目的とする。
【課題を解決するための手段】
【００１０】
（トンネル内消火栓装置）
本発明は、前面に開口した筐体内に収納したノズル付きのホースを引き出して放水するトンネル内消火栓装置に於いて、
筐体の開口に、シート状部材を展開することにより開口を覆って閉鎖し、シート状部材を開口の一端に移動させることにより開口を開放するシート開閉構造を設けたことを特徴とする。
【００１１】
（保守扉と組み合わせたシート開閉構造）
筐体の開口の上側となる上部開口に、上側を軸として上向きに開放する保守扉を設けた場合、筐体開口の下側となる下部開口に、シート開閉構造を設ける。
【００１２】
（消火器収納部のシート開閉構造）
消火器を収納する消火器収納部に対応した筐体の開口に、シート状部材を展開することにより開口を覆って閉鎖し、シート状部材を開口の一端に移動させることにより開口を開放するシート開閉構造を設ける。
【００１３】
（シートロール装置）
シート開閉構造は、シートを巻き出して巻出し端を保持することで開口を閉鎖し、巻出し端の保持の解除によりシートを巻き込んで開口を開放するロールシート装置を前記開口の一方の開口端に設ける。
【００１４】
（シート折り畳み装置）
シート開閉構造は、開口の一端にシートの一端を固定すると共に開口の他端にシートの他端を着脱自在に保持することで開口を閉鎖し、シートの他端の保持解除によりシートを開口の一端が側に移動して外側に折り畳むことにより開口を開放する。
【００１５】
（シャッター扉装置）
シート開閉構造は、シャッター扉を引き出して引出し端を保持することで開口を閉鎖し、引出し端の保持の解除によりシャッター扉を収納して開口を開放するシャッター扉装置を開口の一方の開口端に設ける。
【００１６】
（遠隔開放機構）
シート開閉構造は、
シート状部材を開放させる操作を行う操作部と、
外部からの開放制御信号により作動する開放駆動部と、
操作部の開放操作又は開放駆動部の作動により、シート状部材の閉鎖保持を解除して開放させる遠隔開放機構と、
を備える。
【００１７】
（シート状部材を用いた消火栓扉構造）
シート開閉構造は、開口に設けた開口枠の内側に位置させた状態でシート状部材を展開して保持することにより開口を覆って閉鎖し、シート状部材の保持を解除することにより開口を開放する扉を備え、
筐体は、下部横方向に仕切板を配置して下側にシート状部材を収納する収納部を形成する。
【００１８】
（消火栓扉の分割構造）
筐体に対し消火栓扉を分割し、筐体の開口に消火栓扉を取外し自在に設ける。
【００１９】
（消火栓扉詳細）
消火栓扉は、
筐体の開口に取付け固定する扉枠と、
シート状部材の裏面の上下両端及びその間に所定間隔で配置した複数本のガイドバー部材と、
シート状部材の裏面に配置したガイドバー部材の間に配置した複数本のウェイトバー部材と、
扉枠の左右両側の開口枠の内側に配置され、シート状部材の左右両側を開口枠の内側に位置させた状態で、ガイドバー部材の左右両端をガイド溝に摺接して上下方向に案内移動させる第１ガイドレールと、
第１ガイドレールの内側に配置され、ウェイトバーの両端を摺接して奥行方向への動きを規制すると共に上下方向に案内移動させる第２ガイドレールと、
シート状部材の上端のガイドバー部材を保持することでシート状部材を展開した閉鎖状態とし、所定の操作により上端のガイドバー部材の保持を解除してシート状部材を折り畳んで開放状態とする開閉操作部と、
を備える。
【００２０】
（ガイドバーとウェイトバーの間隔）
シート状部材の裏面に配置したウェイトバー部材の上側に隣接して配置したガイドバーとの間隔に対し、ウェイトバー部材の下側に隣接して配置したガイドバーとの間隔を短くする。
【００２１】
（上下端のガイドバー）
シート状部材の裏面に配置した複数のガイドバー部材は矩形断面をもつ板状のバー部材であり、
複数のガイドバー部材の内の上下端に配置したガイドバー部材は両端に設けたローラを第１ガイドレールのガイド溝に収納して回転自在に支持し、
上下端の間に配置したガイドバー部材は両端を第１ガイドレールのガイド溝に回転しないように収納する。
【００２２】
（ウェイトバーのガイドレール終端）
第２ガイドレールは、シート状部材を展開して扉開口を閉鎖した状態で、下から１本目のウェイトバー部材と下から２本目のガイドバー部材との間となる所定位置をガイドレール終端とすると共に、ガイドレール終端から内側に湾曲して延在する湾曲ガイドレールを一体に形成し、
シート状部材を展開した状態でガイドレール終端を外れた下側に位置するウェイトバー部材の両端の奥行方向への動きを規制する張出片を扉枠の内側両端に設ける。
【００２３】
（開閉操作部）
開閉操作部は、シート状部材の上端のガイドバー部材に上向きにバックル金具を設けると共に扉枠の上部の開口枠にバックル装置を設け、バックル金具をバックル装置に挿入して保持することでシート状部材を展開した閉鎖状態に保持し、バックル装置の所定の操作によりバックル金具の保持を解除してシート状部材を折り畳んで開放状態とする。
【００２４】
（シート状部材の材質）
シート状部材を不燃性、難燃性又は耐火性とする。
【００２５】
（トンネル内消火器箱）
本発明は、前面に開口した筐体内に消火器を収納したトンネル内消火器箱に於いて、
開口に、シート状部材を展開することにより前記開口を覆って閉鎖し、シート状部材を開口の一端に移動させることにより開口を開放するシート開閉構造を設けたことを特徴とする。
【００２６】
なお、本発明によるトンネル内消火器箱の他の特徴は、トンネル内消火栓装置に一体に設けた消火器収納部の構成と基本的に同じになる。
【発明の効果】
【００２７】
（基本的な効果）
本発明は、前面に開口した筐体内に収納したノズル付きのホースを引き出して放水するトンネル内消火栓装置に於いて、筐体の開口に、シート状部材を展開することにより前記開口を覆って閉鎖し、シート状部材を開口の一端に移動させることにより開口を開放するシート開閉構造を設けるようにしたため、開放したシート状部材は筐体開口の外側へ飛び出すことがなく、通路を塞ぐことがないため避難の妨げとならず、また、放水後に水抜きしたホースを収納する作業やメンテナンス作業が容易となり、更に、従来の消火栓扉に比べ構造が簡単で軽量になることで、コスト的にも安価にできる。
【００２８】
（保守扉と組み合わせたシート開閉構造による効果）
また、トンネル内消火栓装置は、筐体の開口の上側となる上部開口に、上側を軸として上向きに開放する保守扉を設けた場合、筐体開口の下側となる下部開口に、シート開閉構造を設けるようにしたため、従来の保守扉と組み合わせて設けている消火栓扉の部分をシート開閉構造に変更するだけでよく、シート開閉構造を設けた消火栓装置の実現を容易にする。
【００２９】
（消火器収納部のシート開閉構造による効果）
消火器を収納する消火器収納部に対応した筐体の開口に、シート状部材を展開することにより開口を覆って閉鎖し、シート状部材を開口の一端に移動させることにより開口を開放するシート開閉構造を設けるようにしたため、開放したシート状部材は筐体開口の外側へ飛び出すことがなく、通路を塞ぐことがないため避難の妨げとならず、また、消火器の取出しが容易となり、更に、従来の消火器扉に比べ構造が簡単で軽量になることで、コスト的にも安価にできる。
【００３０】
（シートロール装置による効果）
また、シート開閉構造は、シートを巻き出して巻出し端を保持することで開口を閉鎖し、巻出し端の保持の解除によりシートを巻き込んで開口を開放するロールシート装置を前記開口の一方の開口端に設けるようにしたため、カーテンロール装置と同様なシートロール装置を使用してシートの巻き出しと巻き込みを適切にできる。
【００３１】
（シート折り畳み装置による効果）
また、シート開閉構造は、開口の一端にシートの一端を固定すると共に開口の他端にシートの他端を着脱自在に保持することで開口を閉鎖し、シートの他端の保持解除によりシートを開口の一端が側に移動して外側に折り畳むことにより開口を開放するようにしたため、開放して折り畳んだシートは多少外側へ飛び出すが、その飛び出し量は従来の消火栓扉に比べて極く僅かであり、通路を塞ぐことがほとんどないため避難の妨げとならず、また、放水後に水抜きしたホースを収納する作業やメンテナンス作業が容易となり、更に、従来の消火栓扉に比べ構造が簡単で軽量になることで、コスト的にも安価にできる。
【００３２】
（シャッター装置による効果）
また、シート開閉構造は、シャッター扉を引き出して引出し端を保持することで開口を閉鎖し、引出し端の保持の解除によりシャッター扉を収納して開口を開放するシャッター装置を開口の一方の開口端に設けるようにしたため、筐体開口から外側に飛び出すことなく開閉可能とする。
【００３３】
（遠隔開放機構による効果）
また、開閉構造は、シート状部材を開放させる操作を行う操作部と、外部からの開放制御信号により作動する開放駆動部と、操作部の開放操作又は開放駆動部の作動により、シート状部材の閉鎖保持を解除して開放させる遠隔開放機構とを備えたため、例えば火災検知に基づく監視センター等からの開放制御信号により自動的にシート状部材を開放して、筐体内に収納しているノズル付きホースによる消火作業を可能とし、利用者は消火栓扉の開放操作に戸惑うことなく、ノズル付きのホースを取り出して消火作業を行うことを可能とする。
【００３４】
（シート状部材の用いた消火栓扉構造による効果）
また、シート開閉構造は、開口に設けた開口枠の内側に位置させた状態でシート状部材を展開して保持することにより開口を覆って閉鎖し、シート状部材の保持を解除することによりシート状部材を開口を開放する消火栓扉を備え、筐体は、下部横方向に仕切板を配置して下側にシート状部材を収納する収納部を形成するようにしたため、シート状部材を開放した場合、シート状部材は開口内側に収納した状態となり、シート状部材が外側に飛び出さないことから、シート状部材を開放した状態で行うホース引出し等の消火操作を、シート状部材の収納部分により妨げられることがなく容易に行うことを可能とする。
【００３５】
また、筐体は、下部横方向に仕切板を配置して下側にシート状部材を収納する収納部を形成したことで、消火栓装置内に設置しているノズル付きホースや消火栓弁を含むバルブ類の設置に影響されることなく、開放したシート状部材を筐体内に収納して外側への飛び出しを無くすことを可能とする。
【００３６】
（筐体と消火栓扉の分割構造による効果）
また、筐体に対し消火栓扉を分割し、筐体の開口に消火栓扉を取外し自在に設けるようにしたため、組立製造段階で筐体と消火栓扉を個別に製造し、最終的に、筐体の開口に消火栓扉を組付け固定することで、消火栓装置を完成することができ、製造組立が容易で生産性が高く、製造コストも低減可能とする。
【００３７】
また、設置後にシート状部材が汚れたり損傷した場合には、汚れたり損傷した扉を筐体から外し、別途準備した扉に交換することで、簡単且つ容易に修復可能とする。
【００３８】
（消火栓扉の構造による効果）
また、消火栓扉は、筐体の開口に取付け固定する扉枠と、シート状部材の裏面の上下両端及びその間に所定間隔で配置した複数本のガイドバー部材と、シート状部材の裏面に配置したガイドバー部材の間に配置した複数本のウェイトバー部材と、扉枠の左右両側の開口枠の内側に配置され、シート状部材の左右両側を開口枠の内側に位置させた状態で、ガイドバー部材の左右両端をガイド溝に摺接して上下方向に案内移動させる第１ガイドレールと、第１ガイドレールの内側に配置され、ウェイトバーの両端を摺接して奥行方向への動きを規制すると共に上下方向に案内移動させる第２ガイドレールと、シート状部材の上端のガイドバー部材を保持することでシート状部材を展開した閉鎖状態に保持し、所定の操作により上端のガイドバー部材の保持を解除してシート状部材を折り畳んで開放状態とする開閉機構とを備えるようにしたため、シート状部材の展開状態でシート状部材上端のガイドバー部材の保持を解除して第１ガイドレールに沿ってガイドバー部材を落下させると、シート状部材の両端側は開口枠の内側に位置していることから、ガイドバー部材はその間のシート状部材部分を内側に湾曲しながら落下するようになり、これによりシート状部材を開口下部の内側に折り畳んで開放した状態とし、折畳み部分が全く外側に飛び出さないことから、ホース引出し等の消火操作や点検作業がシート状部材の折畳み部分により妨げられることがなく、容易に行うことを可能とする。
【００３９】
また、シート状部材の保持を解除し、ガイドバー部材を第１ガイドレールに沿って落下させる場合、ガイドバー部材の落下に伴うその間のシート状部材部分の内側への湾曲を、ガイドバー部材の間に設けたウェイトバーの重みで付勢し、ガイドバー部材の落下に伴い、その間のシート状部材部分の内側への畳み込みを円滑に行うことを可能とする。
【００４０】
また、シート状部材の裏面に配置した複数のガイドバー部材の間にウェイトバー部材を配置し、ウェイトバー部材の両端の奥行方向の動きを規制するように第２ガイドレールに当てることで、展開状態に開いたシート状部材にウェイトバー部材の重みにより張り（テンション）を与え、また、ウェイトバーの奥行方向への動きを規制することで、展開状態にあるシート状部材の平坦性を高め、従来の横開きする金属製の消火栓扉と同等の質感を出すことを可能とする。
【００４１】
（開閉機構の効果）
また、消火栓扉に設けた開閉機構は、シート状部材の上端のガイドバー部材に上向きにバックル金具を設けると共に扉枠の上部の開口枠にバックル装置を設け、バックル金具をバックル装置に挿入して保持することでシート状部材を展開した閉鎖状態に保持し、バックル装置の所定の操作によりバックル金具の保持を解除してシート状部材を折り畳んで開放状態とするようにしたため、バックル装置の例えば操作レバーを手前に引く操作により、バックル金具の保持を解除して展開したシート状部材を落下させて簡単且つ確実にシート状部材を開放して消火活動や点検作業を行うことを可能とする。
【００４２】
（ガイドバーとウェイトバーの間隔による効果）
また、消火栓扉において、シート状部材の裏面に配置したウェイトバー部材とその上側に隣接して配置したガイドバーとの間隔（Ｌ１）に対し、ウェイトバー部材とその下側に隣接して配置したガイドバーとの間隔（Ｌ２）を短くするようにしたため（Ｌ１＞Ｌ２）、ウェイトバー部材がガイドバー部材の中央ではなく、若干下側にオフセットした位置に配置され、ガイドバー部材の落下に伴いその間のシート状部材部分が内側への湾曲を始めると、ウェイトバー部材は中央より若干下側に配置していることで、その重みによりシート状部材の湾曲を更に強く付勢し、シート状部材の畳み込みを更に円滑に行うことを可能とする。
【００４３】
（上下端のガイドバーによる効果）
また、消火栓扉において、シート状部材の裏面に配置した複数のガイドバー部材は矩形断面をもつ板状のバー部材であり、複数のガイドバー部材の内の上下端に配置したガイドバー部材は両端に設けたローラを第１ガイドレールのガイド溝に収納して回転自在に支持し、上下端の間に配置したガイドバー部材は両端を第１ガイドレールのガイド溝に回転しないように収納するようにしたため、下端のガイドバーはシート状部材の落下に伴い内側に回転し、シート状部材を扉内側に確実に折り畳み可能とする。
【００４４】
また、上端のガイドバー部材にはシート状部材の開閉に使用するバックル金具を設けているが、シート状部材の保持解除により落下して開口下部の内側に折り畳み状態となった場合、上端のガイドバー部材は外側に回転してバックル金具を横向きに倒し、バックル金具が上向きに飛び出してホース引出しの邪魔になることを未然に防止可能とする。
【００４５】
（ウェイトバーのガイドレール終端による効果）
また、第２ガイドレールは、シート状部材を展開して扉開口を閉鎖した状態で、下から１本目のウェイトバー部材と下から２本目のガイドバー部材との間となる所定位置をガイドレール終端とすると共に、ガイドレール終端から内側に湾曲して延在する湾曲ガイドレールを一体に形成し、シート状部材を展開した状態でガイドレール終端を外れた下側に位置するウェイトバー部材の両端の奥行方向への動きを規制する張出片を記扉枠の内側両端に設けるようにしたため、ウェイトバーの上下方向の動きを案内する第２ガイドバーの下側が途中で終端していることで、落下したシート状部材の内側への畳み込みを滑らかに行うことを可能とする。
【００４６】
また、シート状部材をフラットに展開した状態で、ガイドレール終端を外れた下側に位置するウェイトバー部材はフリー状態となるが、フリー状態にあるウェイトバー部材の動きを扉枠の内側両端に設けた張出片に当接することで、展開状態にあるシート状部材の平坦性を高めることを可能とする。
【００４７】
また、扉開口の下部内側に折り畳み状態にあるシート状部材を引き上げてフラットな閉鎖状態に展開する場合、扉開口の下部内側に折り畳まれているシート状部材に設けたウェイトバー部材の両側を、第２ガイドレール終端から内側に延在した湾曲ガイドレールに沿って第２ガイドレールに案内移動し、畳み込み状態となっているシート状部材を円滑にフラットに展開して扉開口を閉鎖可能とする。
【００４８】
（トンネル内消火器箱による効果）
本発明は、前面に開口した筐体内に消火器を収納したトンネル内消火器箱に於いて、開口に、シート状部材を展開することにより前記開口を覆って閉鎖し、シート状部材を開口の一端に移動させることにより開口を開放するシート開閉構造を設けるようにしたため、開放したシート状部材は筐体開口の外側へ飛び出すことがなく、通路を塞ぐことがないため避難の妨げとならず、また、消火器の取出しが容易となり、更に、従来の消火器扉に比べ構造が簡単で軽量になることで、コスト的にも安価にできる。
【図面の簡単な説明】
【００４９】
【図１】消火栓装置の実施形態を正面から示した説明図
【図２】保守扉及びシートを外して消火栓装置の内部構造を示した正面図
【図３】シートを開いた状態で消火栓装置の内部構造を示した平面図
【図４】消火栓装置の内部構造を示した平面図
【図５】シートロール装置を取り出して示した説明図
【図６】開閉操作部を取り出して示した説明図
【図７】シートの閉鎖状態と開放状態を側面から見た断面で示した説明図
【図８】シートを横開きする消火栓装置の実施形態を正面から示した説明図
【図９】シートを横に開いた状態で消火栓装置を正面から示した説明図
【図１０】消火栓側開口及び消火器側開口をシート開閉構造とした消火栓装置を正面から示した説明図
【図１１】消火栓側開口の全面をシート開閉構造とした消火栓装置を正面から示した説明図
【図１２】シートを落下開放する消火栓装置の実施形態を正面から示した説明図
【図１３】図１２の実施形態のシートの閉鎖状態と開放状態を側面から見た断面で示した説明図
【図１４】シャッター扉装置を用いた消火栓装置の実施形態を正面から示した説明図
【図１５】シャッター扉を開いた状態で消火栓装置を正面から示した説明図
【図１６】シャッター扉装置を取り出して示した説明図
【図１７】シャッター扉の閉鎖状態と開放状態を側面から見た断面で示した説明図
【図１８】遠隔開放機構を備えた開閉操作部のよるシート先端の保持構造を示した説明図
【図１９】遠隔開放機構を備えた開閉操作部の実施形態を示した説明図
【図２０】ハンドル操作及びロータリーソレノイドの駆動による開閉操作部の動作を示した説明図
【図２１】遠隔開放機構を備えた消火栓装置及び消火器箱を遠隔制御により自動開放するトンネル用非常設備の構成を示したブロック図
【図２２】消火栓装置を正面から示した説明図
【図２３】消火栓扉及び消火器扉として機能するスクリーン扉を開放した状態を正面から示した説明図
【図２４】スクリーン扉を開放した状態を横断面により示した断面図
【図２５】筐体とスクリーン扉の分割構造を示した説明図
【図２６】消火栓装置の筐体分割構造とホース収納構造を示した斜視図
【図２７】スクリーン扉を取り出して示した説明図
【図２８】スクリーン扉をスクリーン開放状態として裏側から示した斜視図
【図２９】スクリーンを取り出して裏面側から示した説明図
【図３０】スクリーン上部のガイド構造を部分的に取り出して示した説明図
【図３１】スクリーン下部のガイド構造を部分的に取り出して示した説明図
【図３２】開放操作によりスクリーンが下降して開放するまでの動きを取り出して模式的に示した説明図
【図３３】消火栓扉として機能するスクリーン扉の上に保守扉を設けた消火栓装置をスクリーン開放状態として正面から示した説明図
【発明を実施するための形態】
【００５０】
［消火栓装置の概要］
図１は本発明の消火栓装置を示した正面図、図２は図１の保守扉及びシートロール装置を外して消火栓装置の内部構造を示した正面図、図３は消火栓装置の内部構造を示した平面図、図４はシートを開いた状態で消火栓装置の内部構造を示した正面図である。
【００５１】
図１に示すように、消火栓装置１０は、消火栓筐体１２ａと消火器筐体１２ｂに分割した構造であり、前面に分割した化粧板１４を各々装着し、消火栓筐体１２ａ及び消火器筐体１２ｂ内に必要な機器及び部材を組付けた後に連結固定し、この状態でトンネル現場に搬入して架台１１上に設置している。
【００５２】
右側の化粧板１４に形成した消火栓側開口１５の下側となる下部開口部には、シート１８、支持部材２０及び開閉操作部２４を主要構成要素とするシート開閉構造として機能するシートロール装置１６を設け、消火栓側開口１５の上側となる上部開口部にはヒンジ３２により上向きに開く保守扉３０を配置し、その内部をホース収納部及びバルブ類収納部としている。
【００５３】
シートロール装置１６は消火栓側開口１５の下端内側に配置し、支持部材２０によりシート１８を引き出して開閉操作部２４により保持することで、シート１８を展開して消火栓側開口１５を閉鎖している。
【００５４】
開閉操作部２４は、ハンドル２５の回動操作により連動するフック爪２６を備え、シート上端に設けた支持部材２０の中央に固定したフック金具２８のフック穴にフック爪２６をはめ込むことで、シート１８を展開状態に保持している。
【００５５】
シート１８を開放する場合には、ハンドル２５を下向きに回動操作すると、フック爪２６が引き込まれてフック金具２８の保持が解除され、シート１８は下降してシートロール装置１６に巻き込まれ、消火栓側開口１５を開放する。
【００５６】
また、シート１８の上端に配置した支持部材２０には、シートロール装置１６に巻き込んだシート１８を引き上げて閉鎖状態とする場合に使用する取っ手２７を２か所に設けている。
【００５７】
シート開閉構造の上部に設けた保守扉３０はヒンジ３２により上向きに開閉し、マグネットと受け板を用いた扉ロック機構により閉止位置に閉じており、消防隊や点検員がシート１８を開放した後、内側のロックを外すことで開くことができる。図２に示すように、保守扉３０は上向きに開いてステー３７で支持するが、消火栓装置１０の保守時や消防隊の操作時以外には通常閉じられている。
【００５８】
消火栓側開口１５の左側には通報装置扉３４を設け、ここに赤色表示灯３６、発信機３８及び応答ランプ４０を設け、また通報装置扉３４の内側には図２に示すように電話ジャック４１を設けている。
【００５９】
赤色表示灯３６は常時点灯し、消火栓装置１０の設置場所が遠方から分かるようにしている。火災時には、発信機３８を押して押し釦スイッチをオンすると、発信信号が監視室の火災受信機に送信されて火災警報が出され、これに伴い応答信号が火災受信機から送られて、応答ランプ４０を点灯する。
【００６０】
通報装置扉３４の左側に形成した消火器側開口１７には開閉可能な消火器扉４２を設け、例えば２本の消火器４７（図３参照）を収納している。消火器扉４２にはハンドル４４を設け、ハンドル４４を手前に引くとフックが外れて消火器扉４２を左側に開くことができる。また、消火器扉４２の下側には覗き窓４５を設け、外部から消火器の収納状態の有無を確認可能としている。
【００６１】
図２、図３及び図４に示すように、消火栓筐体１２ａの略中央にはホース収納部４６を形成し、その右側にバルブ類収納部４８を形成している。ホース収納部４６には、ホースバケット構造５０を設ける。
【００６２】
ホースバケット構造５０は、バケットフレームの中央から右側にオフセットした位置、即ち消火栓側開口１５の左右方向における略中央となる位置に、ホース取出口５２を仕切り形成するように、水平方向の２本のバケットフレームと縦方向の２本のホースガイドを配置し、ホース取出口５２の下側には、前方に張出し形成された張出ホースガイド５３を設けている。
【００６３】
ホース取出口５２及び張出ホースガイド５３は、ホース５４を引き出す際に内巻きしているホース５４が崩れたり、消火栓側開口１５に擦れてホース５４が損傷したり折れたりすることを防ぐ。特に、張出ホースガイド５３はホース５４を左方向に引き出す際のホースの急激な折れ曲がりを緩和して滑らかな引き出しを可能とする。
【００６４】
ホースバケット構造５０及び筐体内壁で囲まれたホース収納部４６にはホース５４を内巻きして収納している。ここで、ホース収納部４６へのホース５４の巻き込みは、消火栓側開口１５から見て右巻きとなるようにホース５４を巻き込んでいる。
【００６５】
ホース５４の先端にはノズル５５を装着し、ノズル５５は放水部とハンドルで構成しており、バケットフレームに配置したノズルホルダ５６に対し着脱自在に保持している。
【００６６】
ホース収納部４６の右側に形成したバルブ類収納部４８には、ポンプ設備からの配管を接続する消火栓接続口５７からホース５４に至る配管系統に、給水弁５８、消火栓弁、自動調整弁、自動排水弁、安全弁及びメンテナンス装置６２を設けている。このうち消火栓弁には消火栓弁開閉レバー６０設けて開閉操作できるようにしている。
【００６７】
給水弁５８は消防ホースを装着可能な給水栓を２次側に備えており、その右側にポンプ起動釦６４を配置している。給水弁５８及びポンプ起動釦６４は、保守扉３０を図１のように閉鎖した場合、その裏側に位置しており、消防隊が給水栓５８ａを使用する場合に、シート１８を開いて保守扉３０の内側のロックを外して図２のように開き、給水弁５８の給水栓５８ａに消防ホースを連結し、給水弁５８のハンドルを操作して開くと共に、ポンプ起動釦６４をオン操作してポンプ設備を遠隔起動させる操作を行う。また、点検時にも、同様にして保守扉３０を開いてホース５４やバルブ類の保守点検を行う。
【００６８】
［シートロール装置］
図５はシートロール装置を取り出して示した説明図、図６は開閉操作部を取り出して示した説明図である。
【００６９】
図５に示すように、シートロール装置１６は、基台７０の左右両側にサイドホルダ７２を起立し、サイドホルダ７２の間にローラパイプ７４を回転自在に支持し、ローラパイプ７４にはシート１８の下端を固定した状態で巻き込んでいる。
【００７０】
シート１８は不燃性又は難燃性のシートを使用しており、シート１８の表面の色は、消火栓筐体１２ａ及び化粧板１４と同じ所定の指定色とし、また、表側に図１に示したように、取扱説明図と「給水栓」の文字を印刷している。
【００７１】
支持部材２０の軸方向略中央には、フック金具２８を設け、開放操作部２４のフック爪２６を、フック金具２８のフック穴２８ａに押圧挿通し、これによりシート１８を閉鎖状態に保持している。
【００７２】
シートロール装置１６はコイルバネを内蔵しており、シート１８の巻き出しに伴うローラパイプ７４の回転で内蔵したコイルバネを巻き込み、シート１８を巻き出して開口を閉鎖した状態でも、巻き込む方向の力を継続的にシート１８に加えている。
【００７３】
開閉操作部２４は、図６に示すように、前方側にはハンドル２５を設け、フック爪２６にシート上端の支持部材２０に設けたフック金具２８のフック穴２８ａを嵌め入れることで、シート１８を展開した状態に保持している。
【００７４】
シート１８により閉鎖した消火栓装置側開口を開く場合には、ハンドル２５を例えば下向き（右回り）に回動操作すると、フック金具２８からフック爪２６を抜いて支持部材２０の保持を解除し、シートロール装置１６がシート１８を自動的に巻き取り、消火栓装置側開口が開放する。
【００７５】
［開放操作に伴うシートの動き］
図７はシートの閉鎖状態と開放状態を側面から見た断面で示した説明図であり、図７（Ａ）はシートの閉鎖状態を示し、図７（Ｂ）はシートの開放状態を示している。
【００７６】
図７（Ａ）に示すシートの閉鎖状態でハンドル２５を操作してシート１８の上端に配置した支持部材２０の保持を解除すると、シート１８はシートロール装置１６の巻き込みにより下降を始め、図７（Ｂ）に示すように、シートロール装置１６に巻き取られることで消火栓側開口１５を開放する。
【００７７】
このような消火栓装置１０をシート１８を巻き取って開放した状態で、シート１８は外側に飛び出すことはなく、消火栓装置１０からホースを引き出して行う消火作業の妨げとはならず、また、消火作業により踏まれて汚れたり損傷したりすることもない。
【００７８】
また、消火栓装置１０による消火作業を終了し、水抜きしたホースを収納した場合には、シートロール装置１６に巻き込んでいるシート１８の上端の支持部材２０に設けている取っ手２７を両手で持って上に引き上げ、保守扉３０側のフック爪２６にフック金具２８を嵌め入れてシート１８を展開状態に保持することで閉鎖する。
【００７９】
「シートを横開きする消火栓装置の実施形態」
図８はシートを横開きする消火栓装置の他の実施形態を示した説明図、図９はハンドル操作によるシート開放動作を示した説明図である。
【００８０】
図８に示すように、本実施形態の消火栓装置１０は、消火栓筐体１２ａの前面の保守扉３０の下側となる消火栓側開口１５の右側にシートロール装置１６を配置し、シートロール装置１６から横方向（図示の例では左向き）に不燃性又は難燃性の繊維シートからなるシート１８を引き出し、シート１８の先端（左端）に設けた支持部材２０を開口左側に配置した開閉操作部２４に保持して閉鎖状態としている。
【００８１】
支持部材２０には、図６を横向きにしたと同様に、フック穴を備えたフック金具２８を設け、フレームに配置した開閉操作部２４のフック爪２６にフック金具２８を挿通させ、これによりシート１８を閉鎖状態に保持している。
【００８２】
消火栓装置１０を使用する際には、ハンドル２５を例えば反時計回りに回動操作すると、フック金具２８のフック穴からフック爪２６が抜けて支持部材２０の保持が解除され、シートロール装置１６がシート１８を右側に巻き取ることで、図９に示すように、消火栓側開口１５を開口させる。
【００８３】
なお、シートロール装置１６を消火栓側開口１５の左側に配置し、シート１８を左側に移動して開くようにしても良い。
【００８４】
［消火器収納部のシート開閉構造］
図１０は消火栓側開口及び消火器側開口をシート開閉構造とした消火栓装置を正面から示した説明図である。
【００８５】
図１０に示すように、本実施形態の消火栓装置１０は、消火栓筐体１２ａと消火器筐体１２ｂに分割した構造であり、消火栓筐体１２ａ側は図１の実施形態と同様にシート開閉構造を設けており、これに加え、消火器側にもシート開閉構造を設けたことを特徴とする。
【００８６】
消火器側のシート開閉構造は、消火栓筐体１２ａの消火器側開口１７の下端内側にシートロール装置１６ａを配置し、シートロール装置１６ａからシート上端に配置した支持部材２０ａによりシート１８ａを巻き出し、消火器側開口１７の上部に設けた開閉操作部２４ａにより保持することで展開し、消火器側開口１７を閉鎖している。
【００８７】
開閉操作部２４ａは、シート１８ａの上端に配置した支持部材２０ａに設けたフック金具２８ａをフック爪２６ａに嵌合して着脱自在に保持している。
【００８８】
シート１８ａを開放して消火器を取り出す場合には、ハンドル２５ａを下向きに回動操作すると、フック金具２８ａの保持が解除され、シート１８ａはシートロール装置１６により巻き込まれながら下降し、消火器側開口１７を開放する。
【００８９】
また、シート１８ａの上端に配置した支持部材２０ａには、シートロール装置１６ａに巻き込んだシート１８ａを巻き出しながら引き上げて閉鎖状態とする場合に使用する取っ手２７ａを設けている。
【００９０】
このため、消火器側についても、消火器側開口１７に設けたシート１８ａの保持を解除して開放した場合、シート１８ａはシートロール装置１６ａに巻き込まれて収納され、消火栓装置１０の消火器収納部から消火器を取出して行う消火作業の妨げとはならず、消火作業により踏まれて汚れたり損傷したりすることもない。
【００９１】
［消火器箱］
図１０の実施形態は消火栓装置に消火器箱を一体に設けた実施形態を示しているが、単独でトンネル内に設置する消火器箱についても、図１０の実施形態に示した消火器側開口１７の構成を設けるようにしても良い。
【００９２】
また、トンネル用消火器箱は、消火器を収納する筐体の前面に開口した開口に、に図１０の実施形態に示した消火器側開口１７の構成を設けると共に、その上に通報装置扉を設け、この通報装置扉には、赤色表示灯、発信機及び応答ランプを横に並べて設けている。
【００９３】
［消火栓側開口全面のシート開閉構造］
図１１は消火栓側開口の全面をシート開閉構造とした消火栓装置を正面から示した説明図である。
【００９４】
図１１に示すように、本実施形態の消火栓装置１０は、図１のように消火栓側開口１５の上部に設けた保守扉３０を廃止し、消火全側開口１５の全面を覆うシート開閉構造としたことを特徴とする。
【００９５】
本実施形態のシート開閉構造は、消火栓筐体１２ａの消火栓側開口１５の下部内側にシートロール装置１６を配置し、シートロール装置１６のシート上端に配置した支持部材２０によりシート１８を巻き出し、消火栓側開口１５の上部に設けた開閉操作部２４により保持することで展開し、消火栓側開口１５の全面を閉鎖している。
【００９６】
開閉操作部２４は、シート１８の上端に配置した支持部材２０に設けたフック金具２８をフック爪２６に嵌合して着脱自在に保持し、これによりシート１８を消火器側開口１７の内側で上下方向に展開して閉鎖状態としている。
【００９７】
この実施形態にあっても、火災を伴う車両事故の発生時に、一般利用者がハンドル２５を操作して支持部材２０の保持を解除した場合、シート１８の保持が解除されてシートロール装置１６による巻き込みによりシート１８が下降して収納された状態となり、消火栓装置１０からホースを引き出して行う消火作業の妨げとはならず、また、消火作業により踏まれて汚れたり損傷したりすることもない。
【００９８】
また、シート１８の開放操作を行うと、図２に示したように、バルブ類収納部４８に設けている給水弁５８やポンプ起動釦６４も露出して操作可能となるが、一般利用者はノズル付きホースを引き出して消火栓弁開閉レバー６０を開位置に操作することから、給水弁５８やポンプ起動釦６４が露出しても問題はない。
【００９９】
一方、消防隊は、同様にシート１８の開放操作を行うことで、給水弁５８の給水栓５８ａに消防ホースを連結して開操作し、併せてポンプ起動釦６４をオン操作して消火ポンプを遠隔起動して消火作業を行うことになり、保守扉を別途開放する操作が不要となるため、操作性に優れる。この点は点検時についても同様である。
【０１００】
なお、一般利用者による給水弁５８やポンプ起動釦６４の操作を禁止するため、それぞれに操作禁止の注意書きタグやリボン等を着けてもよいし、給水弁５８やポンプ起動釦６４の部分が外から見えないように、不透明又は半透明の着脱自在なシートカバー等を手前に吊り下げて隠すようにしても良い。
【０１０１】
［シートを落下開放する消火栓装置］
図１２はシートを落下開放する消火栓装置の実施形態を正面から示した説明図、図１３は図１２の実施形態のシートの閉鎖状態と開放状態を側面から見た断面で示した説明図である。
【０１０２】
図１２に示すように、本実施形態の消火栓装置１０は、消火栓筐体１２ａの消火栓側開口１５の上部に開閉自在に設けた保守扉３０の下側の開口に、上端に保持部材２０を設けると共に下端に固定部材２１を設けたシート１８を展開することで閉鎖している。
【０１０３】
即ち、シート１８の下端の固定部材２１を消火栓側開口１５の下端内側に固定し、シート１８の上端の支持部材２０を開閉操作部２４により保持することで、シート１８を展開して消火栓側開口１５を閉鎖している。またシート１８の上端に設けた支持部材２０は、消火栓側開口１５の両側内側に設けたガイド溝２３に沿って上下方向に案内移動可能としている。また、シート１８の上端に設けた支持部材２０には、シート１８を引き上げて閉鎖状態とする場合に使用する取っ手２７を２か所に設けている。
【０１０４】
開閉操作部２４は、ハンドル２５の回動操作により出没するフック爪２６を備え、シート上端に設けた支持部材２０の中央に固定したフック金具２８のフック穴にフック爪２６をはめ込むことで、シート１８を展開状態に保持している。
【０１０５】
図１３（Ａ）に示す閉鎖状態にあるシート１８を開放する場合には、ハンドル２５を下向きに回動操作すると、フック爪２６が引き込まれてフック金具２８の保持が解除され、シート１８は自重により落下し、図１３（Ｂ）に示すように、開口下部の外側に折り畳まれた状態となり、消火栓側開口１５を開放する。
【０１０６】
ここで、シート１８で閉鎖している開口の高さを例えば９０センチメートルとすると、図１３（Ｂ）のように、落下したシート１８が３つ折りに畳まれたときの開口外側への飛び出し量は１５センチメートル以下となる。なお、それ以外の構成及び機能は図１乃至図３の実施形態と同じになる。
【０１０７】
この実施形態にあっても、火災を伴う車両事故の発生時に、一般利用者がハンドル２５を操作して支持部材２０の保持を解除した場合、シート１８の保持が解除されることで落下して下部外側に折り畳まれることで開放状態となり、折り畳まれたシート１８の外側への飛び出し量は僅かであり、消火栓装置１０からホースを引き出して行う消火作業の妨げとはならず、また、消火作業により踏まれて汚れたり損傷したりすることもない。
【０１０８】
なお、本実施形態についても、図１０の実施形態のように、スクリーン開閉構造を消火栓収納部の開口に設けても良いし、図１１の実施形態のように、保守扉を廃止し、消火栓側開口１５の全面を開閉するように設けても良い。
【０１０９】
また、単独でトンネル内に設置する消火器箱についても、図１２及び図１３に示した消火栓側開口１５と同じ構成を設けるようにしても良い。
【０１１０】
［シャッター扉装置を設けた消火栓装置］
図１４はシャッター扉装置を用いた消火栓装置の実施形態を正面から示した説明図、図１５はシャッター扉を開いた状態で消火栓装置を正面から示した説明図、図１６はシャッター扉装置を取り出して示した説明図、図１５はシャッター扉の閉鎖状態と開放状態を側面から見た断面で示した説明図である。
【０１１１】
図１４乃至図１６に示すように、本実施形態の消火栓装置１０は、右側の化粧板１４に形成した消火栓側開口１５の下側となる下部開口部に、複数枚の板部材８２及び開閉操作部２４を主要構成要素とするシート開閉構造として機能するシャッター扉装置８０を設けている。
【０１１２】
シャッター扉装置８０は例えば４枚の板部材８２で構成し、消火栓側開口１５の左右内側にガイド溝８４を形成し、板部材８２のガイド部８６をガイド溝８４に挿入することで、左右方向の移動を制限しつつ、上下方向には摺動自在としている。
【０１１３】
シャッター扉装置８０の最上部に位置する板部材８２は、保守扉３０の下部に設けた開閉操作部２４により保持され、この保持状態で紐８８により連結された板部材８２が吊下げ状態に展開して消火栓側開口１５を閉鎖している。
【０１１４】
それ以外の構成及び機能は図１乃至図３に示した消火栓装置と同じになることから、同一符号を付して説明を省略する。
【０１１５】
消火栓装置１０を使用する際には、ハンドル２５を下向き（右回り）に回動操作すると、フック金具２８からフック爪２６を抜いて最上部の板部材８２の保持を解除し、板部材８２はガイド溝８４に沿って自重により各板面が順次重なりつつ下降して収納部８５に重なった状態で入り、消火栓側開口１５を開放する。
【０１１６】
開放したシャッター扉装置８０の閉鎖は、最上部の板部材８２に設けた取っ手２７をもって上に引き上げ、開閉操作部２４に保持させる。
【０１１７】
なお、単独でトンネル内に設置する消火器箱についても、図１２及び図１３に示した消火栓開口側１５と同じ構成を設けるようにしても良い。
【０１１８】
［遠隔開放機構を備えた開閉操作部］
図１８は遠隔開放機構を備えた開閉操作部によるシート先端の保持構造を示した説明図である。
【０１１９】
（遠隔開放機構を備えた開閉操作部の概要）
図１のシートロール装置を備えた消火栓装置の開閉操作部２４として、図１８乃至図２０に示す遠隔開放機構を設ける。なお、図８乃至図１２の消火栓装置の開閉操作部２４に設けても良い。
【０１２０】
開閉操作部２４は、前方側には操作部として機能するハンドル２５を設け、後方側には遠隔開放機構の開放駆動部として機能するロータリーソレノイド９０を設けている。ロータリーソレノイド９０は、電磁コイルに通電した場合の電磁力によるロータの回転で駆動軸を所定方向に回動し、電磁コイルの通電を停止すると初期位置に戻り、駆動軸の１回の最大回転角は例えば最大９０°前後であり、ストッパの位置を変えることで、最大回転角の範囲で任意の回転角を設定可能とする。
【０１２１】
消火栓装置１０を使用する際には、ハンドル２５を例えば下向き（右回り）に回動操作すると、フック金具２８からフック爪２６を抜いて支持部材２０の保持を解除し、シートロール装置１６がシート１８を自動的に巻き取り、消火栓側開口１５が開放される。
【０１２２】
ロータリーソレノイド９０は例えば監視センタからの開放制御信号により動作して駆動軸を回動し、ハンドル２５を回動した場合と同様に、フック金具２８からフック爪２６を抜いて支持部材２０の保持を解除し、シートロール装置１６がシート１８を自動的に巻き取り、消火栓側開口１５が自動開放される。
【０１２３】
また、ロータリーソレノイド９０は、発信機３８の押釦操作に連動して動作して駆動軸を回動し、ハンドル２５を回動した場合と同様に、フック金具２８からフック爪２６を抜いて支持部材２０の保持を解除し、シートロール装置１６がシート１８を自動的に巻き取り、消火栓側開口１５が自動開放される。
【０１２４】
なお、ロータリーソレノイド９０の動作は、監視センタの開放制御信号又は発信機３８の操作以外に、トンネル内に設置した火災感知器による火災検知、発信機装置の操作など適宜の機器の操作又は制御信号により行うようにしても良い。
【０１２５】
（遠隔開放機構の詳細）
図１９は遠隔開放機構を備えた開閉操作部の実施形態を示した説明図であり、図１９（Ａ）に側面断面を示し、図１９（Ｂ）に平面を示す。なお、図１９（Ａ）は図１９（Ｂ）のＸ−Ｘ断面から見た内部構造となる。また、図２０はハンドル操作及びロータリーソレノイドの駆動によるフック解除を示した説明図であり、図２０（Ａ）に側面断面を示し、図２０（Ｂ）に平面を示す。なお、図２０（Ａ）も図２０（Ｂ）のＸ−Ｘ断面から見た内部構造となる。
【０１２６】
図１９に示すように、開閉操作部２４の遠隔開放機構は、箱型に形成した筐体９２の内部にスライダ９４をガイド１１０に沿って、図示で左右方向に摺動自在に設け、スライダ９４の左側となる先端にフック爪２６を固定し、筐体９２の左側面の開口から外部に出没自在に配置している。スライダ９４の右側となる後方にはスプリング１１２を配置し、スライダ９４を左方向に付勢している。
【０１２７】
スライダ９４は上方に開いたコ字形の断面形状であり、手前となる側面に、図示で左右方向にガイド溝１０６ａを形成し、そこに直交する前方向からハンドル操作軸９６を挿入している。ガイド溝１０６ａの長さは、スライダ９４の最大移動量を決める。
【０１２８】
スライダ９４の奥行き側となる側面にも、ガイド溝１０６ａと同じにガイド溝１０６ｂ（図示せず）を形成し、そこに直交する後方向からソレノイド駆動軸１０８を挿入している。ハンドル操作軸９６とソレノイド駆動軸１０８は、軸先端に形成した球状受け部を、ボール１０５を介して突き合わせ、回動自在に配置している。
【０１２９】
ハンドル操作軸９６にはリンクアーム９８ａを固定し、リンクアーム９８ａの先端にローラ１００ａを設けている。リンクアーム９８ａの先端に設けたローラ１００ａは、スライダ９４の手前側面に形成した縦方向の駆動溝１０２ａとこれに直交して連設した横方向の退避溝１０４ａの交差部位に初期状態で位置している。
【０１３０】
ソレノイド駆動軸１０８にも、ハンドル駆動軸９６の場合と同様、リンクアーム９８ｂを固定し、リンクアーム９８ｂの先端にローラ１００ｂを設けている。リンクアーム９８ｂの先端に設けたローラ１００ｂは、スライダ９４の奥行き側の側面に形成した縦方向の駆動溝１０２ｂ（図示せず）とこれに直交して連設した横方向の回避溝１０４ｂ（図示せず）の交差部位に初期状態で位置している。
【０１３１】
ここで、ハンドル２５を回動する開放操作を受けてフック爪２６を引き込み、フック金具２８のフック穴から離脱させる第１開放機構は、ハンドル操作軸９６、リンクアーム９８ａ、ローラ１００ａ、スライダ９４に形成した駆動溝１０２ａ、退避溝１０４ａ、ガイド溝１０６ａで構成する。
【０１３２】
また、第１開放機構から分離され、ロータリーソレノイド９０の作動による駆動軸の回動を受けてフック爪２６を引き込み、フック金具２８のフック穴から離脱させる第２開放機構は、ソレノイド駆動軸１０８、リンクアーム９８ｂ、ローラ１００ｂ、スライダ９４に形成した駆動溝１０２ｂ、退避溝１０４ｂ、ガイド溝１０６ｂで構成する。
【０１３３】
（ハンドル操作による開閉操作部の動作）
図１９に示す初期状態において、ハンドル操作軸９６を、これに連結したハンドルの時計回りの操作で回動すると、図２０に示すように、ハンドル操作軸９６の回動に伴ってリンクアーム９８ａが時計回りに回動し、リンクアーム９８ａの先端に設けたローラ１００ａもハンドル操作軸９６を中心に駆動溝１０２ａを外側へ移動しながら時計回りに回動し、この回転運動がスライダ９４の直線運動に変換され、スライダ９４はスプリング１１２を圧縮しながら右方向に移動し、左側先端に設けているフック爪２６を筐体９２に引き込み、フック金具２８のフック穴からフック爪２６を抜いて、シート保持を解除して開放させる。
【０１３４】
このとき、ハンドル操作軸９６の回転はソレノイド駆動軸１０８に伝達されず、ソレノイド駆動軸１０８は初期位置に停止している。この状態でスライダ９４が図示で右方向に移動するが、初期位置に停止しているリンクアーム９８ｂの先端に設けたローラ１００ｂは、スライダ９４の移動に対し、横方向に形成した退避溝１０４ｂ（図示せず）に入り、リンクアーム９８ｂの先端に設けたローラ１００ｂに妨げられることなく、ハンドル操作軸９６の回動でスライダ９４を図示で右方向に移動することを可能とする。
【０１３５】
（ロータリーソレノイド駆動による開閉操作部の動作）
図１９に示す初期状態において、ソレノイド駆動軸１０８を、これに連結しロータリーソレノイド９０の駆動で時計回りに回動すると、図２０に示すように、ソレノイド駆動軸１０８の回動に伴ってリンクアーム９８ｂが時計回りに回動し、リンクアーム９８ｂの先端に設けたローラ１００ｂもソレノイド駆動軸１０８を中心に駆動溝１０２ｂ（図示せず）を外側へ移動しながら時計回りに回動し、この回転運動がスライダ９４の直線運動に変換され、スライダ９４はスプリング１１２を圧縮しながら右方向に移動し、左側先端に設けているフック爪２６を筐体９２に引き込み、フック金具２８のフック穴からフック爪２６を抜いて、シート保持を解除して開放させる。
【０１３６】
このとき、ソレノイド駆動軸１０８の回転はハンドル操作軸９６に伝達されず、ハンドル操作軸９６は初期位置に停止している。この状態でスライダ９４が図示で右方向に移動するが、初期位置に停止しているリンクアーム９８ａの先端に設けたローラ１００ａは、スライダ９４の移動に対し、横方向に形成した退避溝１０４ａに入り、リンクアーム９８ａの先端に設けたローラ１００ａに妨げられることなく、ソレノイド駆動軸１０８の回動でスライダ９４を図示で右方向に移動することを可能とする。
【０１３７】
（ハンドル操作とソレノイ駆動の回転角）
開閉操作部２４をハンドル２５の操作で開放するためのハンドル回転角をθ１とし、開閉操作部２４をロータリーソレノイド９０の駆動で扉開放するためのソレノイド回転角をθ２とすると、ソレノイド回転角θ２は、ハンドル回転角θ１以上の回転角とする。例えばハンドル回転角θ１は約８０度程度であることから、ソレノイド回転角θ２は例えば８０°〜９０°の範囲内の所定角度とする。
【０１３８】
なお、上記の実施形態は遠隔開放機構の開放駆動部としてロータリーソレノイドを例にとっているが、これ以外の適宜の駆動手段を使用しても良い。また、図１９及び図２０に示した遠隔開放機構は一例であり、ハンドル操作とこれと独立した開放駆動部の駆動によりシート保持を解除して開放させる構造であれば、適宜の機構構造を用いても良い。
【０１３９】
（電磁ホルダを用いた遠隔操作機構）
また、外部からの開放制御信号により作動してシートを開放させる遠隔操作機構としては、電磁ホルダを用いてもよい。電磁ホルダによる遠隔操作機構は、例えば図１８に示したシート上部の支持部材２０に磁気吸着金具を設けてフレーム側に固定した電磁ホルダに通電して磁気吸着することでシート１８を展開した開口閉鎖状態に保持し、外部からの開放時には電磁ホルダに対する通電を停止して磁気吸着を解除することで、シートを下降して開放させる。
【０１４０】
また、利用者による開放操作は、電磁ホルダの通電による磁気吸着をハンドル操作により引き外すことで、シートを下降して開放させる。
【０１４１】
（遠隔制御により自動開放するトンネル用非常設備）
図２１は遠隔開放機構を備えた消火栓装置及び消火器箱を遠隔制御により自動開放するトンネル用非常設備の構成を示したブロック図である。
【０１４２】
図２１に示すように、監視センタに設置した受信盤１２０は、制御部１２８、受信回路部１３０，１３４、制御回路部１３２、警報表示部１３６、操作部１３８及び移報部１４０を備え、受信回路部１３０を介してトンネル内に引き出した信号回線を、信号変換器１２２を介して検知器１２４に接続し、車両事故等によりトンネル内で発生した火災を検知して火災検知信号を受信盤１２０に送るようにしている。
【０１４３】
また、受信盤１２０の制御回路部１３２及び受信回路部１３４を介してトンネル内に引き出した信号回線を消火栓装置１０及び消火器箱１２６に接続している。消火栓装置１０及び消火器箱１２６は、図１８〜図２０に示した遠隔開放機構によりシートを自動開放可能としている。
【０１４４】
受信盤１２０の制御部１２８は、受信回路部１３０を介して検知器１２４からの火災検知信号または受信回路１３４を介して消火栓装置１０又は消火器箱１２６からの発信信号を受信すると、警報表示部１３６により火災警報を出力すると共に、制御回路部１３２に指示して開放制御信号を消火栓装置１０及び又は消火器箱１２６に送信し、図１８〜図２０に示した遠隔開放機構を開放制御してシートを開放させる制御を行う。また、受信盤１２０によるシートの遠隔開放制御は、火災警報を出力した場合の係員による操作に基づき行うようにしても良い。
【０１４５】
［スクリーン扉を設けた消火栓装置］
（消火栓装置の構造）
図２２はスクリーン扉を設けた消火栓装置を正面から示した説明図、図２３はスクリーン扉を開放した状態を正面から示した説明図、図１３は消火栓装置の筐体構造を横断面により示した断面図であり、図２４（Ａ）はホース収納部の横断面を示し、図２４（Ｂ）はバルブ類収納部の横断面を示す。
【０１４６】
図２２に示すように、消火栓装置１０は、消火栓筐体１２ａと消火器筐体１２ｂを分割した構造であり、消火栓筐体１２ａの前面開口に消火栓扉として機能するスクリーン扉１５０を配置し、また、消火器筐体１２ｂの前面開口に消火器扉として機能するスクリーン扉１５２を配置している。
【０１４７】
消火栓筐体１２ａの前面開口に設けたスクリーン扉１５０は、化粧枠として機能する扉枠１５４の内側に位置させた状態でシート状部材として機能するスクリーン１７０を展開してバックル装置１６２で保持することにより扉開口１５６を覆って閉鎖し、バックル装置１６２のレバー操作によりスクリーン１７０の保持を解除することにより、スクリーン１７０を落下させ、扉開口１５６を開放する。
【０１４８】
また、消火器筐体１２ｂの前面開口に設けたスクリーン扉１５２は、化粧枠として機能する扉枠１５８の内側に位置させた状態でスクリーン１７１を展開してバックル装置１６４で保持することにより扉開口１６０を覆って閉鎖し、バックル装置１６４のレバー操作によりスクリーン１７１の保持を解除することにより、スクリーン１７１を落下させ、扉開口１６０を開放する。
【０１４９】
左右に設けたスクリーン扉１５０，１５２の間には通報装置扉３４を設け、ここに赤色表示灯３６、発信機３８及び応答ランプ４０を設け、また通報装置扉３４の内側には電話ジャックを設けている。
【０１５０】
図２２に示す消火栓筐体１２ａに設けたスクリーン扉１５０の閉鎖状態でバックル装置１６２のレバーを操作してスクリーン１７０の保持を解除すると、図２３及び図２４に示すように、スクリーン１７０が落下して仕切板１６６の下のスクリーン折畳み収納空間１７２に入って内側に折り畳まれ、スクリーン扉１５０が開放する。
【０１５１】
消火栓筐体１２ａの仕切板１６６の上部にはホース収納部４６及びバルブ類収納部４８を設けている。ホース収納部４６にはホースバケット構造５０を設け、ホースバケット構造５０は、バケットフレームの中央から右側にオフセットした位置、即ち扉開口１５６の左右方向における略中央となる位置に、ホース取出口５２を仕切り形成するように、水平方向の２本のバケットフレームと縦方向の２本のホースガイドを配置し、ホース取出口５２の下側には、前方に張出し形成した張出ホースガイド５３を設け、更に、ホース取出口５２の右側に取付板５１を配置している。
【０１５２】
ホースバケット構造５０、仕切板１６６及び筐体内壁で囲まれたホース収納部４６にはホース５４を内巻きして収納している。ここで、ホース収納部４６へのホース５４の巻き込みは、正面から見て右巻きとなるようにホース５４を巻き込んでいる。
【０１５３】
ホース取出口５２及び張出ホースガイド５３は、ホース５４を引き出す際に内巻きしているホース５４が崩れたり、扉開口１５６に擦れてホース５４が損傷したり折れたりすることを防ぐ。特に、張出ホースガイド５３はホース５４を左方向に引き出す際のホースの急激な折れ曲がりを緩和して滑らかな引き出しを可能とする。
【０１５４】
なお、本実施形態のホースバケット構造５０は、図２の実施形態に対しホース取出口５２を高さ方向で略半分程度に狭くしており、内巻きしたホース５４を引き出すときに回転しながら振られるホース５４の動きを抑えるようにしている。
【０１５５】
ホース５４の先端にはノズル５５を装着し、ノズル５５は放水部とハンドルで構成しており、取付板５１に設けたノズルホルダ５６に着脱自在に保持している。
【０１５６】
ホース収納部４６の右側に形成したバルブ類収納部４８には、図２３及び図２４（Ｂ）に示すように、ポンプ設備からの配管を接続する消火栓接続口５７からホース５４に至る配管系統に、給水弁５８、消火栓弁６５、自動調圧弁６６、自動排水弁６８及びメンテナンス装置６２を設けている。このうち消火栓弁６５は消火栓弁開閉レバー６０により開閉操作できるようにしている。また、給水弁５８の手前には消防隊員が使用するポンプ起動釦６４を設けている。
【０１５７】
また、図２２に示す消火器筐体１２ｂに設けたスクリーン扉１５２の閉鎖状態でバックル装置１６４のレバーを操作してスクリーン１７１の保持を解除すると、図２３に示すように、スクリーン１７１が落下して仕切板１６８の下のスクリーン折畳み収納空間に入って内側に折り畳まれ、スクリーン扉１５２が開放する。消火器筐体１２ｂの仕切板１６８の上部には消火器収納部４９を設け、２本の消火器４７を収納している。
【０１５８】
（筐体とスクリーン扉の分割構造）
図２５は筐体とスクリーン扉の分割構造を示した説明図であり、図２５（Ａ）は筐体に対するスクリーン扉の組付け状態を示し、図２５（Ｂ）は筐体に対するスクリーン扉の組立分解状態を示す。
【０１５９】
図２５（Ａ）に示すように、消火栓筐体１２ａ及び消火器筐体１２ｂの前面開口に設けたスクリーン扉１５０，１５２は、図２５（Ｂ）に示すように、消火栓筐体１２ａ及び消火器筐体１２ｂに対しスクリーン扉１５０，１５２を分割し、消火栓筐体１２ａ及び消火器筐体１２ｂの前面開口にそれぞれ取外し自在に設けている。
【０１６０】
このような筐体側とスクリーン扉との分割構造により、組立製造段階で筐体とスクリーン扉を個別に製造し、最終的に、筐体の開口にスクリーン扉を組付け固定することで、消火栓装置を完成することができ、製造組立が容易で生産性が高く、製造コストも低減可能とする。
【０１６１】
また、設置後に道路に面したスクリーンが汚れたり損傷した場合には、汚れたり損傷したスクリーン扉を筐体から外し、別途準備したスクリーン扉に交換することで、簡単且つ容易に修復可能とする。
【０１６２】
（筐体の分割構造）
図２６は消火栓装置の筐体分割構造とホース収納構造を示した斜視図である。図２６に示すように、消火栓装置の筐体は消火栓筐体１２ａと消火器筐体１２ｂに分割しており、消火栓筐体１２ａは下部に仕切板１６６を配置し、仕切板１６６の下側にスクリーン折畳み収納空間１７２を形成し、仕切板１６６の上部にホース収納部４６とバルブ類収納部４８を形成している。また、消火栓筐体１２ａのスクリーン折畳み収納空間１７２の両側側壁には通線口１７６を形成している。
【０１６３】
消火栓筐体１２ａのホース収納部４６には、フレームパイプにより構成されたホースバケット構造５０を設ける。ホースバケット構造５０は、上下２段の水平方向に配置する横Ｌ字形パイプフレーム５０ａ、上下の横Ｌ字形パイプフレーム５０ａを前面側で縦方向に連結する縦Ｕ字形のパイプフレーム５０ｂ、及び縦Ｕ字形パイプフレーム１１８の下側に連結した張出ホースガイド５３で構成し、更に、前面側の縦Ｕ字形パイプフレーム１１８、下段の横Ｌ字形バケットフレーム５０ａ及び張出ホースガイド５３によって矩形のホース取出口５２を仕切り形成している。
【０１６４】
上下２段に水平配置した横Ｕ形パイプフレーム５０ａの左端および奥行端は筐体隔壁に固定し、縦Ｕ字形パイプフレーム５０ｂの上端は天井側となる筐体隔壁に固定し、下側は仕切板１６６に載せている。
【０１６５】
消火器筐体１２ｂは下部に仕切板１６８を配置し、仕切板１６８の下側にスクリーン折畳み収納空間１７４を形成し、仕切板１６８の上部に消火器収納部４９を形成している。また、消火器筐体１２ｂは、消火栓筐体１２ａの左側の通線口１７６に相対する側壁部分に通線口１７８を形成すると共にその上に位置する仕切板１６８の端部に切欠１８０を形成し、右内側面には強電用の端子箱１８２と弱電用の端子箱１８４を設置している。
【０１６６】
消火栓筐体１２ａと消火器筐体１２ｂは、一方のねじ穴に対する他方の通し穴を介したボルトのねじ込みで固定している。
【０１６７】
（スクリーン扉）
図２７は消火栓筐体の前面開口に設けたスクリーン扉を取り出して示した説明図であり、図２７（Ａ）に裏面を示し、図２７（Ｂ）にＸ−Ｘ断面を示す。図２８はスクリーン扉をスクリーン開放状態として裏側から示した斜視図である。
【０１６８】
図２７（Ａ）に示すスクリーン扉１５０は、スクリーン１７０を上に引き上げてバックル装置１６２に保持して展開することにより扉開口１５６を覆って閉鎖している。スクリーン１７０の裏面には、上端及び下端の各々にガイドバー１８８を設けると共に、その間に等間隔で２本のガイドバー１８８を配置している。ガイドバー１８８は扉枠１５４の裏側に配置したガイド部１８６により上下方向に移動可能としている。
【０１６９】
４本のガイドバー１８８の間となるスクリーン１７０の裏面には、ウェイトバー１９０を各々配置している。ウェイトバー１９０も扉枠１５４の裏側に配置したガイド部１８６により上下方向に移動可能としている。
【０１７０】
図２７（Ｂ）及び図２８に示すように、扉枠１５４の裏側に配置したガイド部１８６には、第１ガイドレール１９４と第２ガイドレール１９６を設けている。手前に配置している第１ガイドレール１９４は上下方向にガイド溝を設けた鞘状の部材であり、スクリーン１７０の裏面に設けたガイドバー１８８の両端をガイド溝に嵌め入れて上下方向に案内移動する。
【０１７１】
第１ガイドレール１９４の奥にはガイド溝を形成する隙間を介して第２ガイドレール１９６を配置している。第１ガイドレール１９４と第２ガイドレール１９６の間にはガイド溝として機能する隙間を上下方向に形成している。この第２ガイドレール１９６のガイド溝には、ウェイトバー１９０の両端を内側に屈曲して形成したストッパ部１９０ａを入れており、第２ガイドレール１９６はウェイトバー１９０を上下方向に案内移動すると共に、スクリーン１７０を展開保持して扉開口１５６を閉鎖した状態で、ウェイトバー１９０の前方及び奥行方向への動きを規制するストッパとして機能し、展開したスクリーン１７０をフラットに保ち、従来の金属製の消火栓扉に相当する質感を出せるようにしている。
【０１７２】
スクリーン扉１５０のバックル装置１６２を操作してスクリーン１７０の展開保持を解除すると、スクリーン１７０はガイドバー１８８及びウェイトバー１９０と共にガイド部１８６に沿って落下し、図２８に示すように、落下したスクリーン１７０は扉開口１５６の下部内側に畳み込まれた状態となって扉開口１５６を開く。
【０１７３】
扉開口１５６の裏側のガイド部１８６に設けたウェイトバー１９０を案内移動する第２ガイドレール１９６は、その下側を切欠することでガイドレール終端を形成しており、このガイドレール終端に続いて内側に湾曲した湾曲ガイドレール１９８を形成している。
【０１７４】
また、湾曲ガイドレール１９８の下側となる扉開口１５６の両側には、斜め下向きに張出片１９２を設けている。張出片１９２は上下には動くが奥行方向には動くことがなく、展開したスクリーン１７０の一番下に配置しているウェイトバー１９０が第２ガイドレール１９６のガイド溝からは外れた位置となってフリー状態に置かれることから、図２７（Ａ）に示すように、張出片１９２に一番下のウェイトバー１９０の両側のストッパ部１９０ａを当てて内側への動きを規制し、スクリーン１７０の下部をフラットに保つことを可能にしている。
【０１７５】
また、スクリーン１７０の上端に突出して設けているバックル金具２００は、扉開口１５６の下部内側にスクリーン１７０をガイドバー１８８及びウェイトバー１９０と共に折り畳んだ状態で、後の説明で明らかにする下端のガイドバー１８８の回転構造により外側に回転し、バックル金具２００をホース引出しの邪魔とならないように、横に倒すようにしている。
【０１７６】
（スクリーンの構造）
図２９はスクリーンを取り出して裏面側から示した説明図である。図２９に示すように、スクリーン１７０は不燃性、難燃性又は耐火性のシートを使用しており、シートの表面の色は、扉枠１５４と同じ所定の指定色としている。
【０１７７】
スクリーン１７０の裏面の上端、下端、及びその間には、等間隔Ｌでガイドバー１８８を接着固定等により配置し、またガイドバー１８８の間にウェイトバー１９０を同じく接着固定等により配置している。
【０１７８】
ガイドバー１８８及びウェイトバー１９０は、骨組みとして、また、重しとして、スクリーン１７０を展開状態でフラットに張る機能を果たし、スクリーン１７０に皺ができにくいようにしている。
【０１７９】
ガイドバー１８８は上下に扁平な板状の棒状部材であり、また、ウェイトバー１９０も同様に上下に扁平な板状の棒状部材としている。また、ガイドバー１８８及びウェイトバー１９０はその自重によりスクリーン１７０を展開状態に保持し、また開放操作に伴い自然落下してスクリーン１７０を折り畳み状態として扉開口１５６を開くことから、十分な重さを確保可能な金属部材とする。
【０１８０】
上端及び下端に配置したガイドバー１８８は両端にローラ２０２を軸支しており、ローラ２０２は図２７（Ｂ）及び図２８に示した第１ガイドレール１９４のガイド溝に入って上端及び下端のガイドバー１８８を回転自在に支持している。上下端の間に配置したガイドバー１８８は両端にローラを設けずに、そのまま第１ガイドレール１９４のガイド溝に入れており、先端に丸みをつけて滑らかに移動可能とする。
【０１８１】
ここで、スクリーン１７０の裏面のガイドバー１８８の間に配置したウェイトバー１９０は、上側に隣接するガイドバー１８８との中心間の間隔をＬ１、下側に隣接するガイドバー１８８との中心間の間隔Ｌ２とすると、
Ｌ１＞Ｌ２
となるように配置している。
【０１８２】
即ち、ウェイトバー１９０は、ガイドバー１８８の配置間隔の半分となる中央ではなく、中央から若干下側へオフセットした位置に配置している。
【０１８３】
このようにウェイトバー１９０をガイドバー１８８の間の中央から下側にオフセットして配置することで、スクリーン１７０を下側に移動して開放する場合に、ガイドバー１８８の間のウェイトバー１９０を設けたスクリーン部分の内側への湾曲を、ウェイトバー１９０の重さで付勢し、下降中にガイドバー１８８の間のスクリーン部分が歪んで折れる変形を起こしたり、ガイドバー１８８が斜めに傾いて動きが悪くなることを抑制可能としている。
【０１８４】
スクリーン１７０の上端に配置したガイドバー１８８の略中央にはバックル金具２００を設け、図２７（Ａ）に示すように、扉開口１５６の上部に設けたバックル装置１６２にバックル金具２００に差し込んで保持し、これによりスクリーン１７０を展開状態に支持して扉開口を閉鎖している。
【０１８５】
スクリーン１７０を開放する場合には、バックル装置１６２に設けたレバーを手前に引くことで、バックル金具２００によるスクリーン１７０の保持を解除し、スクリーン１７０をガイドバー１８８及びウェイトバー１９０と共にガイド部に沿って落下させ、落下したスクリーン１７０を扉開口１５６の下部内側（図２４に示した消火栓筐体１２ａのスクリーン折畳み収納空間１７２）に折り畳んだ状態として開放する。
【０１８６】
（スクリーンガイド構造）
図３０はスクリーン扉上部のガイド構造を部分的に取り出して示した説明図である。図３０に示すように、スクリーン扉に設けた扉枠１５４の裏側には、ガイド溝２０４を上下方向に開口した鞘状の第１ガイドレール１９４を配置しており、ガイド溝２０４の中にスクリーン１７０の上端裏面に配置したガイドバー１８８の両端に軸支したローラ２０２を嵌め入れている。
【０１８７】
第１ガイドレール１９４に続いては奥行方向に所定の隙間を介して第２ガイドレール１９６を配置しており、第１ガイドレール１９４との隙間が第２ガイドレール１９６のガイド溝２０６を形成している。
【０１８８】
第２ガイドレール１９６のガイド溝２０６には、スクリーン１７０の裏面に配置したウェイトバー１９０の両端を内側に屈曲したストッパ部１９０ａが入り、ウェイトバー１９０をガイド溝２０６に沿って上下方向に案内移動させると共に、スクリーン１７０の展開状態でウェイトバー１９０の前方及び奥行方向への動きを規制し、スクリーン１７０をフラットな状態に保つことを可能としている。
【０１８９】
また、ガイドバー１８８及びウェイトバー１９０により上下に移動するスクリーン１７０の両端は、扉枠１５４の裏面に位置して前に出ることがなく、このためバックル装置の操作によりスクリーン１７０を落下させた場合、スクリーン１７０は扉開口１５６から外側に飛び出すことがなく、確実に扉開口１５６の下部の内側に折り畳み状態とすることを可能とする。
【０１９０】
図３１はスクリーン扉下部のガイド構造を部分的に取り出して示した説明図である。図３１に示すように、ウェイトバー１９０を案内移動する第２ガイドレール１９６は、スクリーン１７０の展開状態で、１番下のウェイトバー１９０に至る手前の位置で、斜め下向きに切欠してガイドレール終端２０８を形成しており、ガイドレール終端２０８に続いて下方内側に湾曲ガイドレール１９８を延在している。
【０１９１】
このように第２ガイドレール１９６の下側を終端して、その下側でウェイトバー１９０の奥行方向への規制を解除することで、バックル装置の操作により落下するスクリーン１７０を扉開口１５６の下部内側へ折り畳むためにスクリーン１７０が湾曲する動きを妨げないようにしている。
【０１９２】
また、スクリーン１７０の下端に設けたガイドバー１８８は両端に軸支したローラ２０２を第１ガイドレール１９４のガイド溝２０４に入れて回転自在に支持しており、バックル装置の操作によりスクリーン１７０を落下した場合、ローラ２０２により下端のガイドバー１８８を内側に回転し、この動きによりスクリーン１７０を内側に振って扉開口１５６の下部内側への折り畳みを確実に開始可能としている。
【０１９３】
また、スクリーン１７０の展開状態で、一番下のウェイトバー１９０はガイドレール終端２０８から外れた下側に位置し、そのままでは奥行方向に動いてしまうフリー状態にあることから、扉枠１５４の側面内側に張出片１９２を配置し、張出片１９２にフリーとなっているウェイトバー１９０のストッパ部１９０ａを当接することで、ウェイトバー１９０の奥行方向への動きを規制してフラット性を維持している。張出片１９２としては、上下には屈曲可能で横方向には動かない可撓性のある繊維入りの樹脂シート等を設ける。
【０１９４】
また、第２ガイドレール１９６の終端から延在した湾曲ガイドレール１９８は、扉開口１５６の下部内側に折り畳み状態となっているスクリーン１７０を引き上げて閉鎖する場合に、スクリーン１７０の折り畳み状態で下部内側に位置しているウェイトバー１９０を湾曲ガイドレール１９８に当てて案内し、ウェイトバー１９０がガイドレール終端２０８を通って第２ガイドレール１９６のガイド溝２０６に滑らかに入ることを可能にしている。
【０１９５】
（開放操作に伴うスクリーンの動き）
図３２は開放操作によりスクリーンが下降して開放するまでの動きを取り出して模式的に示した説明図である。なお、図３２（Ａ）はガイド部を想像線で示しているが、図３２（Ｂ）〜（Ｅ）はガイド部を省略している。
【０１９６】
図３２（Ａ）はスクリーン１７０を展開した閉鎖状態であり、上端のガイドバー１８８に設けたバックル金具２００をバックル装置１６２に嵌め入れ、スクリーン１７０を展開する位置に保持している。この状態でバックル装置１６２のレバーを操作してバックル金具２００の保持を解除すると、図３２（Ｂ）に示すように、下端のガイドバー１８８を除く残りのガイドバー１８８が第１ガイドレール１９４のガイド溝に沿って一斉に下降を始め、これに伴いウェイトバー１９０も一斉に下降を始め、スクリーン１７０が全体として下降を始める。
【０１９７】
このとき下端のガイドバー１８８は下降せずに停止していることから、その上に隣接するガイドバー１８８の下降に伴って、ガイドバー１８８の間のスクリーン１７０の部分は内側に湾曲を始める。このガイドバー１８８の間となるスクリーン１７０の湾曲部分にはウェイトバー１９０を配置しているため、ウェイトバー１９０の重みによりスクリーン１７０の湾曲部分を押し下げる力が加わり、スクリーン１７０全体としての下降を勢い付ける。
【０１９８】
また、下端のガイドバー１８８はローラ２０２により第１ガイドレール１９４に回転自在に支持しているため、スクリーン１７０の落下に伴い下端のウェイトバー１９０は内側に倒れ込むように回転し、これによりガイドバー１８８の間となるスクリーン１７０の部分を内側へ振って湾曲を促進させている。
【０１９９】
続いて図３２（Ｃ）のように、下から２番目のガイドバー１８８が下端のガイドバー１８８に当って停止すると、その上のガイドバー１８８の下降に伴ってスクリーン１７０に２番目の湾曲部分が形成される。以下同様にして、図３２（Ｄ）に示すように、３番目の湾曲部分が形成され、最終的に図３２（Ｅ）に示すように、３つの湾曲部分が重なってスクリーン１７０を折り畳み状態とし、扉開口１５６を開放する。
【０２００】
（消火器筐体に設けたスクリーン扉）
図２２及び図２３に示した消火器筐体１２ｂに設けたスクリーン扉１５２は、横サイズが相違する点を除き、図２７乃至図３２に示したスクリーン扉１５０と基本的に同じになる。
【０２０１】
また、単独でトンネル内に設置する消火器箱についても、図２２及び図２３に示した消火器筐体１２ｂ側と同じ構成のスクリーン扉を設けるようにしても良い。
【０２０２】
［保守扉を備えた消火栓装置］
図３３は消火栓扉として機能するスクリーン扉の上部に保守扉を設けた消火栓装置をスクリーン扉を開放状態として正面から示した説明図である。
【０２０３】
図３３に示すように、消火栓装置１０は、消火栓筐体１２ａと消火器筐体１２ｂに分割した構造であり、消火栓筐体１２ａの前面開口に扉枠１５４を設け、扉枠１５４の扉開口１５６の下側に消火栓扉として機能するスクリーン扉１５０を設け、扉開口１５６の上側には保守扉３０を設け、その内部をホース収納部及びバルブ類収納部としている。
【０２０４】
スクリーン扉１５０は、図２２の前面開口の全体を覆って設けたスクリーン扉１５０の高さを短くしたものであり、バックル装置１６２を保守扉３０の下端に設けた点を除き、スクリーン扉１５０の構造及び機能は、図２２乃至図３２に示したと基本的に同じになる。
【０２０５】
保守扉３０は、ヒンジ３２により上向きに開閉し、マグネットと受け板を用いた扉ロック機構により閉止位置に閉じており、消防隊や点検員がスクリーン扉１５０を開放して内側のロックを外すことで開くことができ、保守扉３０の背後に設けている図２３に示した給水弁５８の給水栓５８ａやポンプ起動釦６４の操作を可能とする。
【０２０６】
また、消火器筐体１２ｂ側に設けたスクリーン扉１５２は図２２乃至図３２の場合と同じになることから、その説明は省略する。
【０２０７】
このように保守扉３０は、利用者がスクリーン扉１５０を開いても、消防隊の操作時以外には閉じられており、利用者は混乱することなく、ノズル付きホースを引き出して消火栓弁開閉レバー６０を開操作することで消火作業が可能となる。
【０２０８】
［本発明の変形例］
（シートを上に開放する構成）
上記の実施形態では、シートを下又は横に移動して開放するようにしているが、シートを上に移動して開放するようにしても良い。
【０２０９】
（消火栓装置）
上記各実施形態で示した消火栓装置の、例えば筐体内に内蔵されるホース類やバルブ類、通報装置扉の構成及び配置、その他、シート部分以外の構成については任意であり、適宜の構成を採用して良い。要するに、消火栓装置の開口に対しシートを用いた開閉構造を設け、本願の課題の一部又は全部を解決し、或いは若干でも改善するものであれば良い。
【０２１０】
（その他）
また本発明は、その目的と利点を損なうことのない適宜の変形を含み、更に、上記の実施形態に示した数値による限定は受けない。
【符号の説明】
【０２１１】
１０：消火栓装置
１２ａ：消火栓筐体
１２ｂ：消火器筐体
１４：化粧板
１５：消火栓側開口
１６，１６ａ：シートロール装置
１７：消火器側開口
１８，１８ａ：シート
２０，２０ａ：支持部材
２４：開閉操作部
２５：ハンドル
２６：フック爪
２８：フック金具
３０：保守扉
３２：ヒンジ
３４：通報装置扉
４２：消火器扉
５０：ホースバケット構造
５２：ホース取出口
５４：ホース
５５：ノズル
５６：ノズルホルダ
５８：給水弁
６０：消火栓弁開閉レバー
６４：ポンプ起動釦
８０：シャッター扉装置
９０：ロータリーソレノイド
１５０，１５２：スクリーン扉
１５４，１５８：扉枠
１５６，１６０：扉開口
１６２，１６４：バックル装置
１６６，１６８：仕切板
１８６：ガイド部
１８８：ガイドバー
１９０：ウェイトバー
１９０ａ：ストッパ部
１９２：張出片
１９４：第１ガイドレール
１９６：第２ガイドレール
１９８：湾曲ガイドレール
２００：バックル金具
２０２：ローラ
２０４，２０６：ガイド溝
２０８：ガイドレール終端
【図１】
0006486187.tif 000002
【図２】
0006486187.tif 000003
【図３】
0006486187.tif 000004
【図４】
0006486187.tif 000005
【図５】
0006486187.tif 000006
【図６】
0006486187.tif 000007
【図７】
0006486187.tif 000008
【図８】
0006486187.tif 000009
【図９】
0006486187.tif 000010
【図１０】
0006486187.tif 000011
【図１１】
0006486187.tif 000012
【図１２】
0006486187.tif 000013
【図１３】
0006486187.tif 000014
【図１４】
0006486187.tif 000015
【図１５】
0006486187.tif 000016
【図１６】
0006486187.tif 000017
【図１７】
0006486187.tif 000018
【図１８】
0006486187.tif 000019
【図１９】
0006486187.tif 000020
【図２０】
0006486187.tif 000021
【図２１】
0006486187.tif 000022
【図２２】
0006486187.tif 000023
【図２３】
0006486187.tif 000024
【図２４】
0006486187.tif 000025
【図２５】
0006486187.tif 000026
【図２６】
0006486187.tif 000027
【図２７】
0006486187.tif 000028
【図２８】
0006486187.tif 000029
【図２９】
0006486187.tif 000030
【図３０】
0006486187.tif 000031
【図３１】
0006486187.tif 000032
【図３２】
0006486187.tif 000033
【図３３】
0006486187.tif 000034